(57)【要約】  本発明は、電子取引情報を処理する方法及び装置に関する。電子取引情報を処理する方法は、チャネル入口ページによって提出された、チャネル入口ページに対応する電子タグを備える支払い要求を受け入れるステップと、支払い要求に従って支払いを行い、支払い結果を出力するステップと、電子タグに対応する配信プラットフォームを識別するステップと、識別された配信プラットフォームに基づき、支払い結果ページを生成するステップと、支払い結果ページを出力するステップとを備える。本発明の電子取引情報を処理する方法及び装置によれば、電子タグが、電子取引の処理ステップに組み込まれ、同じ支払いプロセスを共有する、２つ以上の、独立し、かつ閉じた取引処理システムが確立され得る。したがって、電子取引用配信プラットフォームを確立するための、作業量及びコストを削減できる。【選択図】  図１
2015531518.tif 000002
【特許請求の範囲】
【請求項１】
電子取引情報を処理する方法であって、
チャネル入口ページによって提出された、前記チャネル入口ページに対応する電子タグを備える支払い要求を受け入れるステップと、
前記支払い要求に従って支払いを行い、支払い結果を出力するステップと、
前記電子タグに対応する配信プラットフォームを識別するステップと、
識別された前記配信プラットフォームに基づき、支払い結果ページを生成するステップと、
前記支払い結果ページを出力するステップとを備える方法。
【請求項２】
前記チャネル入口ページによって提出された前記支払い要求を受け入れる前に、
前記電子タグの電子タグデータベースを構成するステップであって、前記電子タグデータベース内の前記電子タグのそれぞれが、１つの前記配信プラットフォームに対応し、前記配信プラットフォームのそれぞれが、１つの前記チャネル入口ページに対応するステップと、
前記電子タグデータベース内の前記電子タグのそれぞれに対応している、支払い結果ページ用テンプレートを構成するステップとをさらに備える、請求項１に記載の電子取引情報を処理する方法。
【請求項３】
前記チャネル入口ページによって提出された前記支払い要求を受け入れる前に、
前記電子タグデータベース内の前記電子タグのそれぞれに対応している、注文情報ページ用テンプレートを構成するステップをさらに備える、請求項２に記載の電子取引情報を処理する方法。
【請求項４】
前記支払い結果ページが、前記電子タグを含む、請求項１に記載の電子取引情報を処理する方法。
【請求項５】
前記電子タグを含む注文情報確認要求を、前記支払い結果ページから受信するステップと、
前記電子タグに対応する前記配信プラットフォームを識別するステップと、
前記配信プラットフォームに対応する注文情報ページ用テンプレートに従って、前記注文情報ページを生成するステップと、
前記注文情報ページを出力するステップとをさらに備える、請求項４に記載の電子取引情報を処理する方法。
【請求項６】
識別された前記配信プラットフォームに基づき、前記支払い結果ページを生成する前記ステップが、
前記配信プラットフォームに対応する支払い結果ページ用テンプレートを取得するステップと、
前記支払い結果ページ用テンプレートに従って、前記支払い結果ページを生成するステップとを含む、請求項１に記載の電子取引情報を処理する方法。
【請求項７】
電子取引情報を処理する装置であって、
チャネル入口ページによって送信された、前記チャネル入口ページに対応する電子タグを備える支払い要求を受け入れる第１の受信部と、
前記支払い要求に従って支払いを行い、支払い結果を出力する支払い部と、
前記電子タグに対応する配信プラットフォームを識別する識別部と、
識別された前記配信プラットフォームに基づき、支払い結果ページを生成する支払い結果ページ生成部と、
前記支払い結果ページを出力する第１の出力部とを備える装置。
【請求項８】
電子タグデータベースであって、前記電子タグデータベース内の前記電子タグのそれぞれが、１つの前記配信プラットフォームに対応し、前記配信プラットフォームのそれぞれが、１つの前記チャネル入口ページに対応している、電子タグデータベースと、
支払い結果ページ用テンプレートデータベースであって、前記支払い結果ページ用テンプレートデータベース内の、前記支払い結果ページ用テンプレートのそれぞれが、前記電子タグデータベース内の１つの前記電子タグに対応している、支払い結果ページ用テンプレートデータベースとをさらに備える、請求項７に記載の電子取引情報を処理する装置。
【請求項９】
注文情報ページ用テンプレートデータベースであって、前記注文情報ページ用テンプレートデータベース内の、それぞれの注文情報ページ用テンプレートが、前記電子タグデータベース内の１つの前記電子タグに対応する、注文情報ページ用テンプレートデータベースをさらに備える、請求項８に記載の電子取引情報を処理する装置。
【請求項１０】
前記支払い結果ページが、前記電子タグを備える、請求項７に記載の電子取引情報を処理する装置。
【請求項１１】
前記電子タグを含む注文情報確認要求を、前記支払い結果ページから受信する第２の受信部と、
前記配信プラットフォームに対応している、注文情報ページ用テンプレートに従って前記注文情報ページを生成する注文情報生成部と、
前記注文情報ページを出力する第２の出力部とをさらに備え、
前記識別部が、前記第２の受信部によって受信された、前記電子タグに対応している、前記配信プラットフォームを識別するように構成されている、請求項１０に記載の電子取引情報を処理する装置。
【請求項１２】
前記支払い結果ページ生成部が、
前記配信プラットフォームに対応する支払い結果ページ用テンプレートを取得し、かつ
前記支払い結果ページ用テンプレートに従って、支払い結果ページを生成するように構成されている、請求項７に記載の電子取引情報を処理する装置。
【発明の詳細な説明】
【技術分野】
【０００１】
本発明は、オンライン配信プラットフォームの確立に関し、より詳細には、オンライン配信プラットフォームを迅速に確立するために使用され得る、電子取引情報を処理する方法及び装置に関する。
【０００２】
［関連出願の相互参照］
本出願は、２０１２年１０月１５日に出願された、「電子取引情報を処理する方法及び装置」と題される中国特許出願第２０１２１０３８９６９５．８号明細書の利益及び優先権を主張するものである。上記出願のそれぞれの開示全体が、参照により、本明細書に組み込まれる。
【背景技術】
【０００３】
インターネットの普及と共に、電子商取引が、ますます受け入れられるようになっている。オンラインショッピングは、その利便性、及び競争力のある価格のために、消費者が商品及びサービスを購入する重要な方法になりつつある。
【０００４】
現在の電子取引プラットフォームは、一般的に、完結し、閉じた取引プロセスを有する。換言すると、別個の電子取引プラットフォームの取引プロセスは、互いに独立している。新規な電子取引プラットフォーム、又は配信プラットフォームを確立するためには、新たな、閉じた取引プロセスを構築する必要がある。しかしながら、別個の電子取引プラットフォームの取引プロセスでは、多くのことが共通している。例えば、別個の取引プロセスの支払いプロセスは、同じであることが多い。既存の電子取引システムが閉じていることにより、既存の電子取引システムでは、そのシステムとは異なる電子取引プラットフォームによる、別の支払い後の処理を行うことができない。
【発明の概要】
【０００５】
したがって、オンライン配信プラットフォームを迅速に確立するために使用され得る、電子取引情報を処理する方法及び装置を提供することが望ましい。
【０００６】
本発明の実施形態によれば、電子取引情報を処理する方法であって、チャネル入口ページによって提出された、チャネル入口ページに対応する電子タグを備える支払い要求を受け入れるステップと、支払い要求に従って支払いを行い、支払い結果を出力するステップと、電子タグに対応する配信プラットフォームを識別するステップと、識別された配信プラットフォームに基づき、支払い結果ページを生成するステップと、支払い結果ページを出力するステップとを備える方法が提供される。
【０００７】
本発明の実施形態によれば、電子取引情報を処理する装置であって、チャネル入口ページによって提出された、チャネル入口ページに対応する電子タグを備える支払い要求を受け入れる第１の受信部と、支払い要求に従って支払いを行い、支払い結果を出力する支払い部と、電子タグに対応する配信プラットフォームを識別する識別部と、識別された配信プラットフォームに基づき、支払い結果ページを生成する支払い結果ページ生成部と、支払い結果ページを出力する第１の出力部とを備える装置が提供される。
【０００８】
本発明の電子取引情報を処理する方法及び装置によれば、電子タグが、電子取引の処理ステップに組み込まれ、同じ支払いプロセスを共有する、２つ以上の、独立し、かつ閉じた取引処理システムを確立することができる。したがって、電子取引用配信プラットフォームを確立するための、作業量及びコストを削減できる。
【０００９】
本発明の実施形態の技術的特徴をより良く説明するために、添付の図面を用いて、本発明の様々な実施形態を概略的に説明する。
【図面の簡単な説明】
【００１０】
【図１】本発明の実施形態による、電子取引情報を処理する方法に関する、例示的なフローチャートである。
【図２】本発明の別の実施形態による、電子取引情報を処理する方法に関する、例示的なフローチャートである。
【図３】本発明のさらに別の実施形態による、電子取引情報を処理する装置に関する、例示的な概略図である。
【発明を実施するための形態】
【００１１】
本発明の実施形態の目的、技術的特徴、及び利点をより良く説明するために、添付の図面を用いて、本発明の様々な実施形態をさらに説明する。以下の説明では、用語「クライアント」は、クライアント端末機器を指す場合があり、クライアントの端末機器には、デスクトップコンピュータ、ラップトップ、ネットブック、タブレット、携帯電話、マルチメディアＴＶ、及び他の電子機器、又はクライアント側のアプリケーションプログラムが含まれるが、これらに限定されない。
【００１２】
図１は、本発明の実施形態による、電子取引情報を処理する方法に関する、例示的なフローチャートである。図１に示されるように、この方法は、以下のステップを含む。
【００１３】
ステップ１０１：チャネル入口ページによって提出された支払い要求を受け入れるステップ。
【００１４】
上記のチャネルとは、様々な電子取引プラットフォーム、又は配信プラットフォームを指す。例えば、企業対消費者間取引（Ｂ２Ｃ）の電子取引プラットフォームと、消費者間取引（Ｃ２Ｃ）の電子取引プラットフォームがあると仮定する。Ｂ２Ｃの電子取引プラットフォームでは、プリペイド電話サービス、プリペイドゲーム、及び他の仮想サービス等の、様々なプリペイドサービスを提供することが可能である。同時に、ベンダは、Ｃ２Ｃの電子取引プラットフォームでも、そのような仮想サービスを売ることができる。したがって、Ｃ２Ｃの電子取引プラットフォームは、Ｂ２Ｃの電子プラットフォームのための配信プラットフォームになる。上記の仮想サービスは、２つの電子取引プラットフォームに存在しているが、実際には同じ商品である。
【００１５】
仮想サービス用に、Ｂ２Ｃの電子取引プラットフォーム、及びＣ２Ｃの電子取引プラットフォームは、別個のチャネルとなっており、各電子取引プラットフォームには、対応するチャネル入口ページが存在する。当然、チャネル入口ページは、電子取引プラットフォームに属しており、チャネル入口ページの内容及び表示形式は、電子取引プラットフォームの形式と一致していなくてはならない。しかしながら、実際の電子取引プロセスでは、ユーザインタフェースデータは、取引プロセス中には送信されない。したがって、支払い要求が発生したチャネルを区別するために、チャネル入口ページは、少なくとも１つの電子タグを有する必要がある。ユーザが購入を確認した後、電子タグは、支払い要求の一部として、サーバに送信される。
【００１６】
当然、上述の電子タグは、固有のチャネル、すなわち配信プラットフォームに対応している。換言すると、電子タグは、配信プラットフォームの識別子、又はインデックスである。実際の実行において、電子タグは、「１＿１＿１＿１＿１」のような、数字又は文字列であり得る。電子タグ、及び電子タグの対応する配信プラットフォームに属するその他のもの、例えば、対応する支払い結果ページ用テンプレート、及び注文情報ページ用テンプレートも、電子タグデータベース内に保存することができる。換言すれば、電子タグデータベースを構成するステップは、ステップ１０１の前に含まれ得る。また、支払い結果ページ用テンプレート、及び注文情報ページ用テンプレートが、適切に機能することを保証するために、支払い結果ページ用テンプレート、及び注文情報ページ用テンプレートを構成するステップを、ステップＳ１０１の前に含むことができる。
【００１７】
ステップ１０２：支払い要求に従って支払いを行い、支払い結果を出力するステップ。
【００１８】
サーバが支払い要求を受信した後、通常の支払いプロセスに従って、支払いが行われる。支払い結果は、支払い成功、又は支払い失敗等の様々なシナリオを含み得る。
【００１９】
ステップ１０３：支払い要求に含まれる電子タグに対応する配信プラットフォームを識別し、この配信プラットフォームに対応する支払い結果ページ用テンプレートを取得するステップ。
【００２０】
例えば、電子タグが属する配信プラットフォームは、電子タグデータベースを検索することによって判別でき、配信プラットフォームに対応する支払い結果ページ用テンプレートも、取得できる。
【００２１】
ステップ１０４：取得された支払い結果ページ用テンプレートと、支払い結果とに基づき、支払い結果ページを生成するステップ。
【００２２】
例えば、支払い結果ページは、支払い結果ページ用テンプレートを、支払い結果で埋めることによって得られる。当然、同じ支払い結果が、別個の電子取引プラットフォームでは、互いに異なって表示される場合があり、互いに異なるロゴを表示する場合や、支払いが失敗すると、対応する電子取引プラットフォームにおいて適切なアクションをとるようにユーザを促す場合等がある。支払い結果ページ用テンプレートは、別個の配信プラットフォーム用に個別化された処理を実行するために使用され得る。
【００２３】
また、上述のテンプレートは、単に説明目的で提供されたに過ぎず、本実施形態は、テンプレートを使用することに限定されない。例えば、別個の配信プラットフォームは、互いに異なる複数のロジックを使用して、互いに異なる複数の支払い結果ページを生成してもよい。
【００２４】
ステップ１０５：支払い結果ページを出力するステップ。
【００２５】
支払い結果ページを出力するステップには、例えば、クライアントに支払い結果ページを返信することが含まれ得る。クライアントのブラウザは、その後、支払い結果ページを解析し、読み込み、かつ表示することができる。支払い結果の表示は、必ずしも電子取引の終了を意味しない。配信プラットフォームを識別するために、支払い結果ページも、電子タグを含むことができる。
【００２６】
本実施形態の電子取引情報を処理する方法によれば、電子タグが、電子取引の処理ステップに組み込まれ、かつ同じ支払いプロセスを共有する、２つ以上の、独立し、かつ閉じた取引処理システムが確立され得る。したがって、電子取引用配信プラットフォームを確立するための、作業量及びコストを削減できる。
【００２７】
図２は、本発明の第２の実施形態による、電子取引情報を処理する方法に関する、例示的なフローチャートである。図２に示されるように、本実施形態の方法は、図１の実施形態の方法に同様であるが、さらに、以下のステップを含む。
【００２８】
ステップ２０１：注文情報確認要求を、支払い結果ページから受信するステップ。
【００２９】
上述のように、支払い結果ページを出力した後、クライアントのブラウザは、支払い結果ページを解析し、読み込み、かつ表示する。支払い結果ページは、支払い結果の他に、注文情報へのリンクも含むことができる。ユーザは、このリンクをクリックして、注文情報確認要求をサーバに送信することができ、サーバは、これに応じて、支払い結果ページから送信された注文情報確認要求を受信する。当然、注文情報確認要求は、電子タグ、及び注文番号等の情報を含む。
【００３０】
ステップ２０２：電子タグに対応する配信プラットフォームを識別するステップ。
【００３１】
例えば、電子タグが属する配信プラットフォームは、電子タグデータベースを検索することによって判別でき、配信プラットフォームに対応する注文情報ページ用テンプレートも、取得できる。
【００３２】
ステップ２０３：配信プラットフォームに対応する注文情報ページを生成するステップ。
【００３３】
例えば、注文情報は、注文番号を利用し、注文データを検索することによって得られ、注文情報ページは、注文情報ページ用テンプレートを、注文情報で埋めることによって得られる。当然、本実施形態は、注文情報ページ用テンプレートを使用することに限定されず、注文情報ページは、コードによって直接生成されてもよい。
【００３４】
ステップ２０４：注文情報ページを出力するステップ。
【００３５】
注文情報ページを出力するステップには、例えば、クライアントに、注文情報ページを返信することが含まれ得る。クライアントのブラウザは、その後、注文情報ページを解析し、読み込み、表示することができる。注文情報の表示は、必ずしも電子取引の終了を意味しない。配信プラットフォームを識別するために、注文情報ページも、電子タグを含むことができる。
【００３６】
第１の実施形態の、電子取引情報を処理する方法と比較すると、本実施形態は、電子タグの使用を、注文情報ページにまで広げ、電子取引を処理する方法の範囲及び適用可能性を拡大している。
【００３７】
図３は、本発明のさらに別の実施形態による、電子取引情報を処理する装置に関する、例示的な概略図である。図３に示されるように、この装置は、第１の受信部３１０、支払い部３２０、識別部３３０、支払い結果ページ生成部３４０、及び第１の出力部３５０を含む。
【００３８】
第１の受信部３１０は、チャネル入口ページによって提出された支払い要求を受け入れるために使用され、支払い要求は、チャネル入口ページに対応する電子タグを有する。支払い部３２０は、支払い要求に従って支払いを行い、支払い結果を出力するために使用される。識別部３３０は、電子タグに対応する配信プラットフォームを識別するために使用される。支払い結果ページ生成部３４０は、識別された配信プラットフォームに基づき、支払い結果ページを生成するために使用される。例えば、支払い結果ページ生成部３４０は、配信プラットフォームに対応する注文情報ページ用テンプレートを取得し、注文情報ページ用テンプレートに従って、注文情報ページを生成するために使用される。第１の出力部３５０は、支払い結果ページを出力するために使用される。
【００３９】
電子取引情報を処理する装置は、電子タグデータベース３０１、及び支払い結果ページ用テンプレートデータベース３０２をさらに含み、電子タグデータベース３０１内のそれぞれの電子タグが、１つの配信プラットフォームに対応し、それぞれの配信プラットフォームが、チャネル入口ページを有し、支払い結果ページ用テンプレートデータベース３０２内の、それぞれの支払い結果ページ用テンプレートが、電子タグデータベース３０１内の１つの電子タグに対応する。
【００４０】
電子取引情報を処理する装置は、注文情報ページ用テンプレートデータベース３０３をさらに含む。注文情報ページ用テンプレートデータベース内のそれぞれの注文情報ページ用テンプレートは、電子タグデータベース３０１内の電子タグに対応する注文情報ページ用テンプレートデータベース３０３をさらに備える。
【００４１】
電子取引情報を処理する装置は、第２の受信部３６０、注文情報生成部３７０、及び第２の出力部３８０をさらに含む。
【００４２】
第２の受信部３６０は、電子タグを含む注文情報確認要求を、支払い結果ページから受信するために使用され、識別部３３０は、第２の受信部が受信した電子タグに対応する配信プラットフォームを識別するために使用される。
【００４３】
注文情報生成部３７０は、配信プラットフォームに対応する注文情報ページ用テンプレートに従って、注文情報ページを生成するために使用され、第２の出力部３８０は、注文情報ページを出力するために使用される。
【００４４】
図１、図２、及び対応する上記の説明は、本実施形態の、電子取引を処理する装置の、実装の詳細を知るために参照され得る。
【００４５】
本実施形態の電子取引情報を処理する装置によれば、複数の電子タグが、電子取引の処理ステップに組み込まれており、同じ支払いプロセスを共有しているが、独立し、かつ閉じた、２つ以上の取引処理システムを確立することができる。したがって、電子取引用配信プラットフォームを確立するための、作業量及びコストを削減できる。
【００４６】
本発明の実施形態により、コンピュータが実行できる命令を内部に保存しているコンピュータ可読媒体を提供する。上述の電子取引情報を処理する方法の動作は、コンピュータハードウェア、又は関連するハードウェアを制御するコンピュータプログラムによって実装され得る。コンピュータプログラムはまた、コンピュータベースシステムやプロセッサを含むシステム等の命令実行システム又は、命令実行装置、又は命令実行機器で使用するために、又はこれらに関連付けて使用するために、任意のコンピュータ可読媒体内に、保存及び／又は伝送され得る。命令実行システム又は、命令実行装置、又は命令実行機器とは、コンピュータベースシステム、プロセッサを含むシステム、又は、命令実行システム、命令実行装置、もしくは命令実行機器から命令を取り出し、その命令を実行できる他のシステム等を指す。本明細書の文脈では、「コンピュータ可読媒体」は、命令実行システム、命令実行装置、又は命令実行機器で使用するためのプログラム、又はこれらに関連付けて使用するためのプログラムを含む、すなわち格納できる、いかなる媒体であってもよい。コンピュータ可読媒体には、電子式、磁気式、光学式、電磁式、赤外線式、又は半導体式の、システム、装置、もしくは機器、（磁気）ポータブルコンピュータディスケット、（磁気）ランダムアクセスメモリー（ＲＡＭ）、（磁気）読み出し専用メモリー（ＲＯＭ）、（磁気）消去可能プログラマブル読み出し専用メモリー（ＥＰＲＯＭ）、ポータブル光ディスク、フラッシュメモリー等が含まれるが、これらに限定されない。光ポータブルディスクには、ＣＤ、ＣＤ−Ｒ、ＣＤ−ＲＷ、ＤＶＤ、ＤＶＤ−Ｒ、もしくはＤＶＤ−ＲＷ等が含まれ、フラッシュメモリーには、コンパクトフラッシュ（登録商標）カード、セキュアデジタルカード、ＵＳＢメモリー装置、メモリースティック等が含まれる。
【００４７】
本発明の様々な実施形態は、単なる好ましい実施形態であり、本発明の範囲を限定することを意図するものではない。本発明の範囲には、本発明の趣旨及び原理から逸脱しない変形形態、均等形態、又は改良形態が含まれる。
【図１】
2015531518.tif 000003
【図２】
2015531518.tif 000004
【図３】
2015531518.tif 000005
【国際調査報告】
2015531518.tif 000006
2015531518.tif 000007